(57)【要約】      （修正有）【課題】スポーツの動作を動画像に撮影して、当該動画像から抽出した写真を印刷して提供するとともに、当該動画像を後ほど携帯端末で再生できる技術を提供する。【解決手段】スポーツ動作チェックシステムは、スポーツ動作チェック装置２が、スポーツ動作を動画像に撮影する撮影手段と、動画像をサーバ４に送信し、その記憶位置を受信する送受信手段と、動画像から静止画像を抽出する抽出手段と、静止画像に記憶位置を合成する合成手段と、スポーツ動作写真を印刷する印刷手段と、を備え、サーバ４が、動画像を受信すると、動画像を記憶するとともに、記憶位置を送信し、動画像の記憶位置を受信すると、記憶されている動画像を送信する送受信手段を、備え、携帯端末５が、スポーツ動作写真から、記憶位置を読み取る読取手段と、記憶位置をサーバ４に送信するとともに、動画像を受信する送受信手段と、動画像を再生する再生手段と、を備える。【選択図】図１
2014030653.tif 000002
【特許請求の範囲】
【請求項１】
スポーツの動作を動画像として撮影するスポーツ動作チェック装置と、前記動画像を記憶するサーバと、前記動画像を再生する携帯端末とが、ネットワークを介して接続されるスポーツ動作チェックシステムであって、
前記スポーツ動作チェック装置は、
前記ネットワークを介して情報の送受信を行う送受信手段と、
前記スポーツの動作を前記動画像として撮影する撮影手段と、
前記動画像から静止画像を抽出する抽出手段と、
前記静止画像に、前記動画像の記憶位置の情報を合成する合成手段と、
合成した前記静止画像を、スポーツ動作写真として印刷する印刷手段と、
を備え、
前記動画像を撮影した場合には、当該動画像を前記サーバに送信するとともに、前記サーバから前記動画像の記憶位置の情報を受信し、
前記サーバは、
前記ネットワークを介して情報の送受信を行う送受信手段と、
前記動画像を記憶する記憶手段と、
を備え、
前記動画像を受信した場合には、当該動画像を記憶するとともに、当該動画像の記憶位置の情報を、前記スポーツ動作チェック装置へ送信し、
前記動画像の記憶位置の情報を受信した場合には、当該記憶位置に記憶されている前記動画像を、送信元へ送信し、
前記携帯端末は、
前記スポーツ動作写真から、合成されている前記動画像の記憶位置の情報を読み取る読取手段と、
読み取った前記動画像の記憶位置の情報を前記サーバに送信するとともに、当該サーバから前記動画像を受信する送受信手段と、
受信した前記動画像を再生する再生手段と、
を備える
ことを特徴とするスポーツ動作チェックシステム。
【請求項２】
前記スポーツ動作チェック装置は、さらに、
分割数を入力する入力手段を備え、
前記抽出手段は、前記動画像から入力された前記分割数の静止画像を抽出する
ことを特徴とする請求項１に記載のスポーツ動作チェックシステム。
【請求項３】
前記スポーツ動作チェック装置は、さらに、
前記スポーツ動作写真から、合成されている前記動画像の記憶位置の情報を読み取る読取手段と、
前記動画像を再生する再生手段と、
を備え、
前記動画像の記憶位置の情報を読み取った場合には、当該動画像の記憶位置の情報を前記サーバに送信するとともに、前記サーバから前記動画像を受信する
ことを特徴とする請求項１又は請求項２に記載のスポーツ動作チェックシステム。
【請求項４】
前記合成手段は、
前記静止画像に、前記動画像の記憶位置の情報を電子透かしとして埋め込み、
前記読取手段は、
前記スポーツ動作写真から、電子透かしとして埋め込まれている前記動画像の記憶位置の情報を読み取る
ことを特徴とする請求項１乃至請求項３に記載のスポーツ動作チェックシステム。
【請求項５】
スポーツの動作を動画像として撮影するスポーツ動作チェック装置と、前記動画像を記憶するサーバと、前記動画像を再生する携帯端末とが、ネットワークを介して接続されるスポーツ動作チェックシステムの方法であって、
前記スポーツ動作チェック装置用のコンピュータは、
前記ネットワークを介して情報の送受信を行う送受信ステップと、
前記スポーツの動作を前記動画像として撮影する撮影ステップと、
前記動画像から静止画像を抽出する抽出ステップと、
前記静止画像に、前記動画像の記憶位置の情報を合成する合成ステップと、
合成した前記静止画像を、スポーツ動作写真として印刷する印刷ステップと、
を含み、
前記動画像を撮影した場合には、当該動画像を前記サーバに送信するとともに、前記サーバから前記動画像の記憶位置の情報を受信し、
前記サーバ用のコンピュータは、
前記ネットワークを介して情報の送受信を行う送受信ステップと、
前記動画像を記憶する記憶ステップと、
を含み、
前記動画像を受信した場合には、当該動画像を記憶するとともに、当該動画像の記憶位置の情報を、前記スポーツ動作チェック装置へ送信し、
前記動画像の記憶位置の情報を受信した場合には、当該記憶位置に記憶されている前記動画像を、送信元へ送信し、
前記携帯端末用のコンピュータは、
前記スポーツ動作写真から、合成されている前記動画像の記憶位置の情報を読み取る読取ステップと、
読み取った前記動画像の記憶位置の情報を前記サーバに送信するとともに、当該サーバから前記動画像を受信する送受信ステップと、
受信した前記動画像を再生する再生ステップと、
を含む
ことを特徴とするスポーツ動作チェックシステムの方法。
【請求項６】
スポーツの動作を動画像として撮影するスポーツ動作チェック装置と、前記動画像を記憶するサーバと、前記動画像を再生する携帯端末とが、ネットワークを介して接続されるスポーツ動作チェックシステムの方法を、コンピュータに実行させるためのプログラムであって、
前記スポーツ動作チェック装置用のコンピュータは、
前記ネットワークを介して情報の送受信を行う送受信ステップと、
前記スポーツの動作を前記動画像として撮影する撮影ステップと、
前記動画像から静止画像を抽出する抽出ステップと、
前記静止画像に、前記動画像の記憶位置の情報を合成する合成ステップと、
合成した前記静止画像を、スポーツ動作写真として印刷する印刷ステップと、
を含み、
前記動画像を撮影した場合には、当該動画像を前記サーバに送信するとともに、前記サーバから前記動画像の記憶位置の情報を受信し、
前記サーバ用のコンピュータは、
前記ネットワークを介して情報の送受信を行う送受信ステップと、
前記動画像を記憶する記憶ステップと、
を含み、
前記動画像を受信した場合には、当該動画像を記憶するとともに、当該動画像の記憶位置の情報を、前記スポーツ動作チェック装置へ送信し、
前記動画像の記憶位置の情報を受信した場合には、当該記憶位置に記憶されている前記動画像を、送信元へ送信し、
前記携帯端末用のコンピュータは、
前記スポーツ動作写真から、合成されている前記動画像の記憶位置の情報を読み取る読取ステップと、
読み取った前記動画像の記憶位置の情報を前記サーバに送信するとともに、当該サーバから前記動画像を受信する送受信ステップと、
受信した前記動画像を再生する再生ステップと、
を含む
ことを特徴とするプログラム。
【請求項７】
動画像を受信した場合には、当該動画像を記憶するとともに、当該動画像の記憶位置の情報を送信元へ送信するサーバと、ネットワークを介して接続され、スポーツの動作を前記動画像として撮影するスポーツ動作チェック装置であって、
前記ネットワークを介して情報の送受信を行う送受信手段と、
前記スポーツの動作を前記動画像として撮影する撮影手段と、
前記動画像から静止画像を抽出する抽出手段と、
前記静止画像に、前記動画像の記憶位置の情報を合成する合成手段と、
合成した前記静止画像を、スポーツ動作写真として印刷する印刷手段と、
を備え、
前記動画像を撮影した場合には、当該動画像を前記サーバへ送信するとともに、前記サーバから前記動画像の記憶位置の情報を受信する
ことを特徴とするスポーツ動作チェック装置。
【請求項８】
前記サーバは、さらに、前記動画像の記憶位置の情報を受信した場合には、当該記憶位置に記憶されている前記動画像を送信元へ送信し、
前記スポーツ動作チェック装置は、さらに、
前記スポーツ動作写真から、合成されている前記動画像の記憶位置の情報を読み取る読取手段と、
前記動画像を再生する再生手段と、
を備え、
前記動画像の記憶位置の情報を読み取った場合には、当該動画像の記憶位置の情報を前記サーバへ送信するとともに、前記サーバから前記動画像を受信する
ことを特徴とする請求項７に記載のスポーツ動作チェック装置。
【請求項９】
前記合成手段は、
前記静止画像に、前記動画像の記憶位置の情報を電子透かしとして埋め込み、
前記読取手段は、
前記スポーツ動作写真から、電子透かしとして埋め込まれている前記動画像の記憶位置の情報を読み取る
ことを特徴とする請求項８に記載のスポーツ動作チェック装置。
【発明の詳細な説明】
【技術分野】
【０００１】
本発明は、スポーツの動作を動画像として撮影するスポーツ動作チェック装置と、動画像を記憶するサーバと、動画像を再生する携帯端末とが、ネットワークを介して接続されるスポーツ動作チェックシステムに関するものである。
【背景技術】
【０００２】
従来、ゴルフや野球等のスポーツでは、実際に、ゴルフ場や野球場へ行ってスポーツを行わずに、ゴルフ練習場やバッティングセンター等へ行って、スポーツの練習をしつつスポーツを楽しむことが広く行われている。
【０００３】
また、ゴルフでは、ボールを打って実際に飛ばすことなく、シミュレータを用いて、打ったボールの軌跡を前方に設置されたスクリーンに表示するゴルフシミュレータ装置が提案されている（特許文献１）。このようなシミュレータ装置は、場所をとらないため、飲食店等の店舗にも設置可能である（同図９）。
【０００４】
このような形態でスポーツをする際、利用者は、上達のために、スイングなどのスポーツの動作をチェックすることを希望することがある。これに関して、特許文献２には、ゴルフのスイングの際の動画像を撮影し、ボールの速度に基づいて、撮影した動画像から適切な動画像の部分を抽出するゴルフ練習装置の発明が開示されている。
【先行技術文献】
【特許文献】
【０００５】
【特許文献１】特開２０１０−１２５０４８号公報
【特許文献２】特開２０１１−２４８０５号公報
【発明の概要】
【発明が解決しようとする課題】
【０００６】
先行技術文献１に記載の発明では、動画像を撮影したゴルフ練習装置において、当該ゴルフ練習装置を利用している間でしか、撮影した動画像を見ることができないという問題がある。また、利用者は、動画像だけでなく、スポーツ動作を行っている静止画像を印刷して持ち帰りたいと希望することがある。
【０００７】
本発明は、かかる課題を解決するためになされたものであり、スポーツの動作を動画像として撮影し、当該動画像から抽出した静止画像をスポーツ動作写真として印刷するとともに、当該動画像をサーバに記憶し、携帯端末から、スポーツ動作写真に合成されているサーバ上の動画像の記憶位置の情報を読み出すことによって、動画像を再生できる技術を提供することを目的とする。
【課題を解決するための手段】
【０００８】
前述した課題を解決するために第１の発明は、スポーツの動作を動画像として撮影するスポーツ動作チェック装置と、前記動画像を記憶するサーバと、前記動画像を再生する携帯端末とが、ネットワークを介して接続されるスポーツ動作チェックシステムであって、前記スポーツ動作チェック装置は、前記ネットワークを介して情報の送受信を行う送受信手段と、前記スポーツの動作を前記動画像として撮影する撮影手段と、前記動画像から静止画像を抽出する抽出手段と、前記静止画像に、前記動画像の記憶位置の情報を合成する合成手段と、合成した前記静止画像を、スポーツ動作写真として印刷する印刷手段と、を備え、前記動画像を撮影した場合には、当該動画像を前記サーバに送信するとともに、前記サーバから前記動画像の記憶位置の情報を受信し、前記サーバは、前記ネットワークを介して情報の送受信を行う送受信手段と、前記動画像を記憶する記憶手段と、を備え、前記動画像を受信した場合には、当該動画像を記憶するとともに、当該動画像の記憶位置の情報を、前記スポーツ動作チェック装置へ送信し、前記動画像の記憶位置の情報を受信した場合には、当該記憶位置に記憶されている前記動画像を、送信元へ送信し、前記携帯端末は、前記スポーツ動作写真から、合成されている前記動画像の記憶位置の情報を読み取る読取手段と、読み取った前記動画像の記憶位置の情報を前記サーバに送信するとともに、当該サーバから前記動画像を受信する送受信手段と、受信した前記動画像を再生する再生手段と、を備えることを特徴とするスポーツ動作チェックシステムである。
【０００９】
第１の発明によって、スポーツ動作チェック装置の利用者は、スポーツの動作を動画像に撮影して、撮影した動画像から抽出した静止画像を印刷したスポーツ動作写真を取得できる。また、利用者は、携帯端末で取得したスポーツ動作写真に合成されているサーバ上の動画像の記憶位置の情報を読み取り、当該携帯端末で撮影した動画像を再生することができる。
なお、「スポーツの動作」としては、例えば、ゴルフのスイングや、野球のバッティング、ボーリングのスイング（投球動作）、サッカーのシュートなどが考えられる。
【００１０】
第１の発明におけるスポーツ動作チェック装置は、さらに、分割数を入力する入力手段を備え、前記抽出手段は、前記動画像から入力された前記分割数の静止画像を抽出することが望ましい。
これによって、スポーツの動作を行っている連続写真をスポーツ動作写真として印刷することができる。
【００１１】
第１の発明におけるスポーツ動作チェック装置は、さらに、前記スポーツ動作写真から、合成されている前記動画像の記憶位置の情報を読み取る読取手段と、前記動画像を再生する再生手段と、を備え、前記動画像の記憶位置の情報を読み取った場合には、当該動画像の記憶位置の情報を前記サーバに送信するとともに、前記サーバから前記動画像を受信することが望ましい。
これによって、スポーツ動作チェック装置の利用者は、次回来た時にも、当該スポーツ動作チェック装置において、前回のスポーツ動作をチェックすることができる。
【００１２】
第１の発明における前記合成手段は、前記静止画像に、前記動画像の記憶位置の情報を電子透かしとして埋め込み、前記読取手段は、前記スポーツ動作写真から、電子透かしとして埋め込まれている前記動画像の記憶位置の情報を読み取ることが望ましい。
これによって、スポーツ動作写真の意匠性を損なうことなく、動画像の記憶位置の情報を埋め込み、また読み取ることができる。
【００１３】
第２の発明は、スポーツの動作を動画像として撮影するスポーツ動作チェック装置と、前記動画像を記憶するサーバと、前記動画像を再生する携帯端末とが、ネットワークを介して接続されるスポーツ動作チェックシステムの方法であって、前記スポーツ動作チェック装置用のコンピュータは、前記ネットワークを介して情報の送受信を行う送受信ステップと、前記スポーツの動作を前記動画像として撮影する撮影ステップと、前記動画像から静止画像を抽出する抽出ステップと、前記静止画像に、前記動画像の記憶位置の情報を合成する合成ステップと、合成した前記静止画像を、スポーツ動作写真として印刷する印刷ステップと、を含み、前記動画像を撮影した場合には、当該動画像を前記サーバに送信するとともに、前記サーバから前記動画像の記憶位置の情報を受信し、前記サーバ用のコンピュータは、
前記ネットワークを介して情報の送受信を行う送受信ステップと、前記動画像を記憶する記憶ステップと、を含み、前記動画像を受信した場合には、当該動画像を記憶するとともに、当該動画像の記憶位置の情報を、前記スポーツ動作チェック装置へ送信し、前記動画像の記憶位置の情報を受信した場合には、当該記憶位置に記憶されている前記動画像を、送信元へ送信し、前記携帯端末用のコンピュータは、前記スポーツ動作写真から、合成されている前記動画像の記憶位置の情報を読み取る読取ステップと、読み取った前記動画像の記憶位置の情報を前記サーバに送信するとともに、当該サーバから前記動画像を受信する送受信ステップと、受信した前記動画像を再生する再生ステップと、を含むことを特徴とするスポーツ動作チェックシステムの方法である。
第２の発明によって、スポーツ動作チェック装置の利用者は、スポーツの動作を動画像に撮影して、撮影した動画像から抽出した静止画像を印刷したスポーツ動作写真を取得できる。また、利用者は、携帯端末で取得したスポーツ動作写真に合成されているサーバ上の動画像の記憶位置の情報を読み取り、当該携帯端末で撮影した動画像を再生することができる。
【００１４】
第３の発明は、スポーツの動作を動画像として撮影するスポーツ動作チェック装置と、前記動画像を記憶するサーバと、前記動画像を再生する携帯端末とが、ネットワークを介して接続されるスポーツ動作チェックシステムの方法を、コンピュータに実行させるためのプログラムであって、前記スポーツ動作チェック装置用のコンピュータは、前記ネットワークを介して情報の送受信を行う送受信ステップと、前記スポーツの動作を前記動画像として撮影する撮影ステップと、前記動画像から静止画像を抽出する抽出ステップと、前記静止画像に、前記動画像の記憶位置の情報を合成する合成ステップと、合成した前記静止画像を、スポーツ動作写真として印刷する印刷ステップと、を含み、前記動画像を撮影した場合には、当該動画像を前記サーバに送信するとともに、前記サーバから前記動画像の記憶位置の情報を受信し、前記サーバ用のコンピュータは、前記ネットワークを介して情報の送受信を行う送受信ステップと、前記動画像を記憶する記憶ステップと、を含み、前記動画像を受信した場合には、当該動画像を記憶するとともに、当該動画像の記憶位置の情報を、前記スポーツ動作チェック装置へ送信し、前記動画像の記憶位置の情報を受信した場合には、当該記憶位置に記憶されている前記動画像を、送信元へ送信し、前記携帯端末用のコンピュータは、前記スポーツ動作写真から、合成されている前記動画像の記憶位置の情報を読み取る読取ステップと、読み取った前記動画像の記憶位置の情報を前記サーバに送信するとともに、当該サーバから前記動画像を受信する送受信ステップと、受信した前記動画像を再生する再生ステップと、を含むことを特徴とするプログラムである。
第３の発明を汎用のコンピュータにインストールすることによって、第１の発明のスポーツ動作チェックシステムを得て、第２の発明のスポーツ動作チェックシステムの方法を実行することができる。
【００１５】
第４の発明は、動画像を受信した場合には、当該動画像を記憶するとともに、当該動画像の記憶位置の情報を送信元へ送信するサーバと、ネットワークを介して接続され、スポーツの動作を前記動画像として撮影するスポーツ動作チェック装置であって、前記ネットワークを介して情報の送受信を行う送受信手段と、前記スポーツの動作を前記動画像として撮影する撮影手段と、前記動画像から静止画像を抽出する抽出手段と、前記静止画像に、前記動画像の記憶位置の情報を合成する合成手段と、合成した前記静止画像を、スポーツ動作写真として印刷する印刷手段と、を備え、前記動画像を撮影した場合には、当該動画像を前記サーバへ送信するとともに、前記サーバから前記動画像の記憶位置の情報を受信することを特徴とするスポーツ動作チェック装置である。
第４の発明によって、スポーツ動作チェック装置の利用者は、スポーツの動作を動画像に撮影して、撮影した動画像から抽出した静止画像を用いたスポーツ動作写真を取得できる。
【００１６】
第４の発明のサーバは、さらに、前記動画像の記憶位置の情報を受信した場合には、当該記憶位置に記憶されている前記動画像を送信元へ送信し、前記スポーツ動作チェック装置は、さらに、前記スポーツ動作写真から、合成されている前記動画像の記憶位置の情報を読み取る読取手段と、前記動画像を再生する再生手段と、を備え、前記動画像の記憶位置の情報を読み取った場合には、当該動画像の記憶位置の情報を前記サーバへ送信するとともに、前記サーバから前記動画像を受信することが望ましい。
これによって、スポーツ動作チェック装置の利用者は、次回来た時にも、当該スポーツ動作チェック装置において、前回のスポーツ動作をチェックすることができる。
【００１７】
第４の発明の前記合成手段は、前記静止画像に、前記動画像の記憶位置の情報を電子透かしとして埋め込み、前記読取手段は、前記スポーツ動作写真から、電子透かしとして埋め込まれている前記動画像の記憶位置の情報を読み取ることが望ましい。
これによって、スポーツ動作写真の意匠性を損なうことなく、スポーツ動作写真に動画像の記憶位置の情報を埋め込み、また読み取ることができる。
【発明の効果】
【００１８】
本発明のスポーツ動作チェックシステムによって、スポーツ動作チェック装置の利用者に、スポーツの動作を動画像に撮影して、撮影した動画像から抽出した静止画像を用いたスポーツ動作写真を提供できる。
また、本発明のスポーツ動作チェックシステムによって、提供したスポーツ動作写真を介在させて、利用者に、携帯端末で、スポーツの動作を撮影した動画像を閲覧させることができる。
【図面の簡単な説明】
【００１９】
【図１】スポーツ動作チェックシステムの適用例を示す図
【図２】スポーツ動作チェック装置の外観斜視図
【図３】スポーツ動作チェック装置のハードウェア構成を示すブロック図
【図４】サーバのハードウェア構成を示すブロック図
【図５】携帯端末のハードウェア構成を示すブロック図
【図６】スポーツ動作チェック装置とサーバとの処理を示すフローチャート
【図７】携帯端末とサーバとの処理を示すフローチャート
【図８】スポーツ動作の静止画像の例を示す図
【図９】電子透かしを埋め込んだスポーツ動作写真の例を示す図
【図１０】ＱＲコード（登録商標）を合成したスポーツ動作写真の例を示す図
【図１１】現在のスポーツ動作の静止画像に、過去又はプロ選手のスポーツ動作の静止画像を付加して、印刷したスポーツ動作写真の例を示す図
【図１２】第２実施形態に係るスポーツ動作チェック装置の外観斜視図
【図１３】第２実施形態に係るスポーツ動作チェック装置のハードウェア構成を示すブロック図
【図１４】第２実施形態に係るスポーツ動作チェック装置のサーバからの動画像の取得・再生の処理を示すフローチャート
【発明を実施するための形態】
【００２０】
［第１実施形態］
以下、図面に基づいて、本発明の第１実施形態を詳細に説明する。
図１は、スポーツ動作チェック装置２を含むスポーツ動作チェックシステム１の適用例を示す図である。
【００２１】
図１では、スポーツ動作チェック装置２と、サーバ４と、アクセスポイント６を介した携帯端末５とが、ネットワーク７を介して接続されたスポーツ動作チェックシステム１が示されている。また、スポーツ動作チェック装置２の付近に、ゴルフクラブ９を所持した、スポーツ動作チェック装置２の利用者８、及び、スポーツ動作チェック装置２から出力されるスポーツ動作写真３が示されている。
【００２２】
このスポーツ動作チェック装置２は、例えば、スポーツ練習場等に設置されているものである。サーバ４は、スポーツ練習場内にあっても、他の施設にあってもよい。携帯端末５は、無線通信によりネットワーク７を介してサーバ４と接続できるものであれば、Ｗｉｆｉ等を利用してアクセスポイント６を介してネットワーク７に接続されていても、３Ｇ回線等の携帯電話網を介してネットワーク７に接続されていてもよい。
【００２３】
スポーツ動作チェックシステム１の適用例は次のようである。
最初に、利用者８は、スポーツ練習場等に設置されたスポーツ動作チェック装置２の前に来る。スポーツ練習場の受付等で、スポーツ動作チェック装置２が利用可能となっているものとする。そして、スポーツ動作チェック装置２の前で、利用者８は、例えば、ゴルフのスイングなどのスポーツの動作を行う。
【００２４】
すると、スポーツ動作チェック装置２は、カメラ２４で、このスポーツの動作を動画像に撮影する。このとき、この動画像を表示部２２に表示してもよい。そして、利用者８が、所定の操作を行うと、動画像がサーバ４に送信され、記憶されるとともに、動画像から抽出した静止画像を使ったスポーツ動作写真３が、写真排出部２５から排出される。
【００２５】
その後、利用者８は、自宅などで、携帯端末５に内蔵されているカメラ５６から、スポーツ動作写真３に合成されている情報を読み取る。すると、携帯端末５は、読み取った情報を用いて、サーバ４に記憶されているスポーツ動作の動画像を取得し、取得した動画像を再生する。
【００２６】
このようにして、利用者８は、スポーツ練習場等で行ったスポーツの動作を、後日、自宅等で携帯端末５を用いて閲覧することができる。
【００２７】
［スポーツ動作チェック装置２の外観斜視図］
図２は、スポーツ動作チェック装置２の外観斜視図である。なお、図２の外観構成は一例であり、用途、目的に応じて様々な構成をとることが可能である。
スポーツ動作チェック装置２は、筐体に、表示部２２、操作部２３、カメラ２４、及び、写真排出部２５を少なくとも備えている。
【００２８】
表示部２２は、撮影した動画像を再生するときに表示するためのモニタである。操作部２３は、スポーツ動作チェック装置２に指示を行うためのコントローラである。カメラ２４は、スポーツの動作を撮影するものである。表示部２２、操作部２３、及び、カメラ２４は、スポーツ動作チェック装置２のハードウェア構成の説明で後述する。
【００２９】
写真排出部２５は、スポーツ動作写真３が排出される部分である。写真排出部２５は、内部に写真印刷部（プリンタ）２６（後述）が備えられている。利用者８が、スポーツの動作の動画像を撮影して、スポーツ動作チェック装置２に指示を出すと、スポーツ動作写真３が内部の写真印刷部２６で印刷されて、利用者８は、写真排出部２５から、スポーツ動作写真３を取り出すことができる。
写真排出部２５、及び、その内部の写真印刷部（プリンタ）２６は、スポーツ動作チェック装置２の筐体の外部に、外付けとして備えてもよい。
【００３０】
なお、例えば、スポーツ動作チェック装置２は、さらに、スポーツの動作を検出する図示しないセンサを備えてもよい。このセンサにより、スポーツの動作の開始と終了を検出したり、スイングなどのスポーツ動作のスピードや、スポーツ動作の軌跡などを検出することができる。
【００３１】
［スポーツ動作チェック装置２のハードウェア構成］
図３は、スポーツ動作チェック装置２のハードウェア構成を示すブロック図である。なお、図３のハードウェア構成は一例であり、用途、目的に応じて様々な構成をとることが可能である。
【００３２】
スポーツ動作チェック装置２を実現するコンピュータ２１は、制御部２１１、記憶部２１２、通信制御部２１３、入力部２１４、メディア入出力部２１５、周辺機器Ｉ／Ｆ部２１６等がバス２１７で接続されて構成され、表示部２２、操作部２３、カメラ２４、写真印刷部２６を制御する。
【００３３】
制御部２１１は、ＣＰＵ（Central Processing Unit）、ＲＯＭ（Read Only Memory）、ＲＡＭ（Random Access Memory）等で構成される。ＣＰＵは、記憶部２１２、ＲＯＭ、記録媒体等に格納されるプログラムをＲＡＭ上のワークメモリ領域に呼び出して実行し、バス２１７を介して接続された各装置を駆動制御し、スポーツ動作チェック装置２が行う後述する処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部２１２、ＲＯＭ、記録媒体等からロードしたプログラム、データ等を一時的に保持するとともに、制御部２１１が各種処理を行う為に使用するワークエリアを備える。
【００３４】
記憶部２１２は、例えば、ＨＤＤ（Hard Disk Drive）であり、制御部２１１が実行するプログラム、プログラム実行に必要なデータ、ＯＳ（Operating System）等が格納される。プログラムに関しては、ＯＳに相当する制御プログラムや、後述する処理をコンピュータに実行させるためのアプリケーションプログラムが格納されている。これらの各プログラムコードは、制御部２１１により必要に応じて読み出されてＲＡＭに移され、各種の手段として実行される。
【００３５】
通信制御部２１３は、通信制御装置、通信ポート等を有し、コンピュータとネットワーク間の通信を媒介する通信インタフェースであり、ネットワークを介して、サーバ４、及び、他のコンピュータ間との通信制御を行う。ネットワークは、有線、無線を問わない。
【００３６】
入力部２１４は、管理用として使われるもので、データの入力を行い、例えば、キーボード、マウス等のポインティングデバイス、テンキー等の入力装置を有する。入力部２１４を介して、コンピュータ２１に対して、操作指示、動作指示、データ入力等を行うことができる。入力部２１４は、なくてもよい。
【００３７】
メディア入出力部２１５（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。メディア入出力部２１５は、なくてもよい。
【００３８】
周辺機器Ｉ／Ｆ（インタフェース）部２１６は、コンピュータ２１に周辺機器を接続させるためのポートであり、周辺機器Ｉ／Ｆ部２１６を介してコンピュータ２１は周辺機器（表示部２２、操作部２３、カメラ２４、写真印刷部２６）とのデータの送受信を行う。周辺機器Ｉ／Ｆ部２１６は、ＤＶＩやＵＳＢやＩＥＥＥ１３９４やＲＳ−２３２Ｃ等で構成されており、通常複数の周辺機器Ｉ／Ｆを有する。周辺機器との接続形態は有線、無線を問わない。
【００３９】
バス２１７は、各装置間の制御信号、データ信号等の授受を媒介する経路である。
【００４０】
表示部（モニタ）２２は、ＣＲＴモニタ、液晶パネル等のディスプレイ装置であって、ディスプレイ装置と連携してコンピュータのビデオ機能を実現するための論理回路等（ビデオアダプタ等）を有する。なお、表示部２２は、タッチパネルディスプレイのように、操作部２３の機能も兼ねていても良い。
【００４１】
操作部（コントローラ）２３は、複数のボタンや、図示しない操作用スティック等から構成される、スポーツ動作チェック装置２に内蔵されているアプリケーションを操作するための入力手段である。利用者８は、操作部２３を用いて、スポーツ動作の動画像の撮影指示を出したり、動画像のサーバ４への転送指示を出したり、スポーツ動作写真３の印刷指示を出したりすることができる。なお、操作部２３は、データ入力を行うために、キーボードや、テンキー、マウス等の入力装置を備えてもよい。
【００４２】
カメラ２４は、利用者８のスポーツ動作の動画像を撮影するデジタルビデオカメラである。デジタルビデオカメラとしては、撮影した動画像を電気的信号に変換できるものであればよく、ＣＭＯＳやＣＣＤ等の撮影素子を備えたカメラを用いればよい。
なお、カメラ２４は、スポーツ動作チェック装置２に複数備えてもよい。例えば、利用者８の正面用と側面用に２つ備えることができる。このような場合には、少なくとも１つは、図２に示したスポーツ動作チェック装置２の筐体の外部に備える。
【００４３】
写真印刷部２６は、プリンタであり、写真排出部２５の内部に備えられ、スポーツ動作写真３を印刷する。このプリンタは、（動画像の記憶位置の情報が合成された）静止画像を写真用紙に印刷する高解像度カラープリンタであり、熱転写型あるいはインクジェット型など、プリンタ方式は特に問わない。
【００４４】
［サーバ４のハードウェア構成］
図４は、サーバ４のハードウェア構成図を示すブロック図である。なお、図４のハードウェア構成は一例であり、用途、目的に応じて様々な構成をとることが可能である。
【００４５】
サーバ４を実現するコンピュータは、制御部４１、記憶部４２、メディア入出力部４３、通信制御部４４、入力部４５、表示部４６、及び、周辺機器Ｉ／Ｆ部４７等が、バス４８を介して接続される。
【００４６】
制御部４１は、ＣＰＵ（Central Processing Unit）、ＲＯＭ（Read Only Memory）、ＲＡＭ（Random Access Memory）等で構成される。ＣＰＵは、記憶部４２、ＲＯＭ、記録媒体等に格納されるプログラムをＲＡＭ上のワークメモリ領域に呼び出して実行し、バス４８を介して接続された各装置を駆動制御し、サーバ４が行う後述する処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部４２、ＲＯＭ、記録媒体等からロードしたプログラム、データ等を一時的に保持するとともに、制御部１１が各種処理を行う為に使用するワークエリアを備える。
【００４７】
記憶部４２は、例えば、ＨＤＤ（Hard Disk Drive）であり、制御部４１が実行するプログラム、プログラム実行に必要なデータ、ＯＳ（Operating System）等が格納される。プログラムに関しては、ＯＳに相当する制御プログラムや、後述する処理をコンピュータに実行させるためのアプリケーションプログラムが格納されている。これらの各プログラムコードは、制御部４１により必要に応じて読み出されてＲＡＭに移され、各種の手段として実行される。データに関しては、スポーツ動作チェック装置２から送信される動画像が主に格納される。
【００４８】
メディア入出力部４３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。通信制御部４４は、通信制御装置、通信ポート等を有し、コンピュータとネットワーク間の通信を媒介する通信インタフェースであり、ネットワークを介して、スポーツ動作チェック装置２、携帯端末５、及び、他のコンピュータ間との通信制御を行う。ネットワークは、有線、無線を問わない。
【００４９】
入力部４５は、データの入力を行い、例えば、キーボード、マウス等のポインティングデバイス、テンキー等の入力装置を有する。入力部４５を介して、コンピュータに対して、操作指示、動作指示、データ入力等を行うことができる。表示部４６は、ＣＲＴモニタ、液晶パネル等のディスプレイ装置、ディスプレイ装置と連携してコンピュータのビデオ機能を実現するための論理回路等（ビデオアダプタ等）を有する。なお、入力部４５及び表示部４６は、タッチパネルディスプレイのように、一体となっていても良い。
【００５０】
周辺機器Ｉ／Ｆ（インタフェース）部４７は、コンピュータに周辺機器を接続させるためのポートであり、周辺機器Ｉ／Ｆ部４７を介してコンピュータは周辺機器（モニタ、イメージスキャナ、複合機等）とのデータの送受信を行う。周辺機器Ｉ／Ｆ部４７は、ＤＶＩやＵＳＢやＩＥＥＥ１３９４やＲＳ−２３２Ｃ等で構成されており、通常複数の周辺機器Ｉ／Ｆを有する。周辺機器との接続形態は有線、無線を問わない。バス４８は、各装置間の制御信号、データ信号等の授受を媒介する経路である。
【００５１】
［携帯端末５のハードウェア構成］
図５は、携帯端末５のハードウェア構成図を示すブロック図である。なお、図５のハードウェア構成は一例であり、用途、目的に応じて様々な構成をとることが可能である。
【００５２】
携帯端末５を実現するコンピュータは、制御部５１、記憶部５２、通信制御部５３、入力部５４、表示部５５、カメラ５６、電源５７、スイッチ５８などが、バス５９を介して接続される。
【００５３】
制御部５１は、ＣＰＵ（Central Processing Unit）等で構成される。ＣＰＵは、ＲＯＭ（後述）等に格納されるプログラムをＲＡＭ（後述）上のワークメモリ領域に呼び出して実行し、バス５９を介して接続された各装置を駆動制御し、携帯端末５が行う後述する処理を実現する。
【００５４】
記憶部５２は、フラッシュメモリ（Flash Memory）、ＲＯＭ（Read Only Memory）、ＲＡＭ（Random Access Memory）等で構成される。フラッシュメモリは、書き換え可能な、電源５７を切ってもデータが消えない不揮発性メモリであり、ＲＯＭは、不揮発性メモリである。フラッシュメモリやＲＯＭには、コンピュータのブートプログラムやＢＩＯＳ等のプログラム、アプリケーション、データ等を保持している。ＲＡＭは、揮発性メモリであり、ＲＯＭ等からロードしたプログラム、データ等を一時的に保持するとともに、制御部５１が各種処理を行う為に使用するワークエリアを備える。
【００５５】
通信制御部５３は、通信制御装置、通信ポート等を有し、３Ｇ規格や、Ｗｉｆｉ規格に沿って、携帯端末５とネットワーク間の通信を媒介する通信インタフェースであり、ネットワークを介して、サーバ４や、他のコンピュータ又は携帯端末との通信制御を行う。ネットワーク回線は、３Ｇ規格や、Ｗｉｆｉ規格を用いた無線回線であるが、途中有線回線も含むこともある。
【００５６】
入力部５４は、データの入力を行い、例えば、テンキー、小型キーボード等の入力装置を有する。入力部５４を介して、コンピュータに対して、操作指示、動作指示、データ入力等を行うことができる。
表示部５５は、液晶パネル等のディスプレイ装置、ディスプレイ装置と連携してコンピュータのビデオ機能を実現するための論理回路等（ビデオアダプタ等）を有する。なお、入力部５４及び表示部５５は、タッチパネルディスプレイのように、一体となっていても良い。
【００５７】
カメラ５６は、静止画像を撮影するデジタルカメラである。デジタルカメラとしては、撮影した静止画像を電気的信号に変換できるものであればよく、ＣＭＯＳやＣＣＤ等の撮影素子を備えたカメラを用いればよい。カメラ５６には、動画像を撮影する機能があってもよい。
【００５８】
電源５７は、携帯端末５に電力を供給するためのバッテリーである。
スイッチ５８は、携帯端末５の電源をＯＮ又はＯＦＦにするためのものである。
バス５９は、各ユニット間の制御信号、データ信号等の授受を媒介する経路である。
【００５９】
［スポーツ動作チェック装置２とサーバ４との処理］
続いて、図６を用いて、スポーツ動作チェック装置２とサーバ４との処理を説明する。
この処理は、利用者８がスポーツ練習場等に設置されたスポーツ動作チェック装置２を利用する場面での処理である。
【００６０】
最初に、スポーツ動作チェック装置２の制御部２１１は、カメラ２４によって、利用者８のスポーツ動作を動画像に撮影する（Ｓ１１）。このスポーツの動作としては、例えば、ゴルフのスイングや、野球のバッティング、ボーリングのスイング（投球動作）、サッカーのシュートなどが考えられる。
【００６１】
スポーツ動作チェック装置２の制御部２１１は、利用者８の操作部２３からの指示によって、動画像の撮影を開始及び終了してもよいし、例えば、備え付けられた図示しないセンサによって、利用者８の動作を検知して、動画像の撮影を開始及び終了してもよい。また、スポーツ動作チェック装置２の制御部２１１は、利用者８の操作部２３の指示から、撮影時間を受け付けて、その時間の間撮影するようにしてもよい。
スポーツ動作チェック装置２の制御部２１１は、撮影した動画像をＲＡＭ又は記憶部２１２に記憶しておく。
【００６２】
次に、スポーツ動作チェック装置２の制御部２１１は、表示部２２に、動画像の分割数の選択肢を表示し、利用者８によって、操作部２３から、分割数が選択される（Ｓ１２）。この分割数は、撮影したスポーツ動作の動画像の分割の個数を示す値である。スポーツ動作チェック装置２の制御部２１１は、例えば、４分割〜１２分割の選択肢を表示する。
なお、スポーツ動作チェック装置２の制御部２１１は、利用者８によって、操作部２３から、分割数が入力されてもよい。
【００６３】
次に、スポーツ動作チェック装置２の制御部２１１は、撮影した動画像から、選択された分割数分の静止画像を抽出する（Ｓ１３）。具体的には、スポーツ動作チェック装置２の制御部２１１は、動画像を分割数分に分割し、各分割した動画像（以下、部分動画像という。）から１枚ずつ静止画像を抽出する。このとき、各部分動画像において、例えば、先頭の静止画像を抽出してもよいし、時間上中央の静止画像を抽出してもよいし、最後の静止画像を抽出してもよい。また、制御部２１１は、各部分動画像に対して、当該部分動画像の中からいくつかの静止画像を表示部２２に表示して利用者８に選択させ、選択された静止画像を当該部分動画像から抽出した静止画像としてもよい。
【００６４】
図８は、スポーツの動作としてゴルフのスイングを撮影した動画像において、分割数として８分割を選択し、例えば各部分動画像に対して、時間上中央の静止画像を抽出した例である。このように、部分動画像から静止画像を１枚ずつ抽出することで、動画像に撮影されたスポーツの動作を容易に把握することができる。
【００６５】
図６に戻る。次に、スポーツ動作チェック装置２の制御部２１１は、ＲＡＭ又は記憶部２１２に記憶しておいた動画像を、ネットワーク７を介して、サーバ４へ送信する（Ｓ１４）。
【００６６】
すると、サーバ４の制御部４１は、スポーツ動作チェック装置２から送信された動画像を受信する（Ｓ１５）。
次に、サーバ４の制御部４１は、受信した動画像を、記憶部４２に記憶する（Ｓ１６）。
【００６７】
次に、サーバ４の制御部４１は、動画像の記憶位置の情報を、ネットワーク７を介して、スポーツ動作チェック装置２へ送信する（Ｓ１７）。
なお、動画像の記憶位置の情報は、サーバ４のファイルシステム上での動画像を記憶した位置等であるが、ＵＲＬ（Uniform Resource Locator）であってもよい。また、動画像のサイズは、一般に、サーバ４のＯＳが管理するものであるが、動画像の記憶位置の情報に、この情報を含めてもよい。
【００６８】
すると、スポーツ動作チェック装置２の制御部２１１は、サーバ４から送信された動画像の記憶位置の情報を受信する（Ｓ１８）。
【００６９】
次に、スポーツ動作チェック装置２の制御部２１１は、抽出した静止画像に、受信した動画像の記憶位置の情報を合成する（Ｓ１９）。例えば、図９に示したように、スポーツ動作チェック装置２の制御部２１１は、動画像の記憶位置の情報、若しくは、それをコード化した情報を、電子透かしとして、静止画像に埋め込むことができる。このときに、図９に示したように、静止画像に、静止画像以外の背景の図柄となる部分が付加されていてもよく、その部分に、電子透かしとして動画像の記憶位置の情報を埋め込んでもよい。
【００７０】
または、図１０に示したように、スポーツ動作チェック装置２の制御部２１１は、動画像の記憶位置の情報を、ＱＲコード（登録商標）、若しくは、バーコードの画像情報に変換して、この変換した画像情報を静止画像、若しくは、その背景の図柄に合成することができる。
【００７１】
図６に戻る。次に、スポーツ動作チェック装置２の制御部２１１は、合成した静止画像を、写真印刷部２６によって、スポーツ動作写真として印刷する（Ｓ２０）。
その後、利用者８は、スポーツ動作チェック装置２の写真排出部２５から排出されるスポーツ動作写真３を取り出す。
【００７２】
以上で、スポーツ動作チェックシステム１のスポーツ動作チェック装置２とサーバ４との処理は、終了である。
【００７３】
［携帯端末５とサーバ４との処理］
続いて、図７を用いて、携帯端末５とサーバ４との処理を説明する。
この処理は、図６で説明したスポーツ動作チェック装置２とサーバ４との処理が終わり、利用者８がスポーツ動作写真３を取得した後、利用者８が携帯端末５を利用して任意の時点及び場所で処理である。
【００７４】
最初に、携帯端末５の制御部５１は、カメラ５６によって、利用者８が提示したスポーツ動作写真３から、合成されている動画像の記憶位置の情報を読み取る（Ｓ２１）。具体的には、携帯端末５の制御部５１は、カメラ５６によって、スポーツ動作写真３に埋め込まれている電子透かし、又は、合成されているＱＲコード（登録商標）若しくはバーコードを読み取り、これらの画像情報を解釈するアプリケーションによって、動画像の記憶位置の情報に変換する。
【００７５】
次に、携帯端末５の制御部５１は、動画像の記憶位置の情報を、ネットワーク７を介して、サーバ４に送信する（Ｓ２２）。
【００７６】
すると、サーバ４の制御部４１は、携帯端末５から送信された動画像の記憶位置の情報を受信する（Ｓ２３）。
【００７７】
次に、サーバ４の制御部４１は、記憶部４２から、受信した記憶位置に記憶されている動画像を読み出す（Ｓ２４）。
【００７８】
次に、サーバ４の制御部４１は、読み出した動画像を、ネットワーク７を介して、携帯端末５に送信する（Ｓ２５）。
【００７９】
すると、携帯端末５の制御部５１は、サーバ４から送信された動画像を受信する（Ｓ２６）。
【００８０】
次に、携帯端末５の制御部５１は、受信した動画像を再生して、表示部５５に表示する（Ｓ２７）。このとき、携帯端末５の制御部５１は、利用者８の入力部５４からの指示によって、再生を開始してもよい。
【００８１】
以上で、スポーツ動作チェックシステム１の携帯端末５とサーバ４との処理は、終了である。
【００８２】
第１実施形態のスポーツ動作チェックシステム１に係る処理は、前述のものに限られず、その趣旨を逸脱しない範囲で変更可能である。
例えば、図６のスポーツ動作チェック装置２とサーバ４との処理において、スポーツ動作チェック装置２の制御部２１１が動画像をサーバ４に送信する（Ｓ１４）際に、利用者８を一意に識別するＩＤとともに、動画像から抽出した静止画像も、サーバ４に送信するようにしてもよい。
【００８３】
そして、サーバ４の制御部４１は、動画像の記憶位置の情報をスポーツ動作チェック装置２へ送信する（Ｓ１７）際に、利用者８のＩＤから特定した、過去の（例えば直前の）静止画像も、あわせてスポーツ動作チェック装置２へ送信することができる。
【００８４】
そして、スポーツ動作チェック装置２の制御部２１１は、スポーツ動作から抽出した静止画像に、動画像の記憶位置の情報を合成する（Ｓ１９）際に、受信した過去のスポーツ動作の静止画像も付加してもよい。そして、スポーツ動作チェック装置２の制御部２１１は、この過去のスポーツ動作の静止画像を付加した静止画像を印刷する（Ｓ２０）。
【００８５】
図１１は、この様子を示したものである。図１１のように、上段が現在のスポーツ動作の静止画像で、下段が過去のスポーツ動作の静止画像となるようにすることができる。このようにすることで、利用者８は、現在のスポーツ動作と過去のスポーツ動作とを見比べることができる。
【００８６】
また、例えば、スポーツ動作チェック装置２の記憶部２１２に、予め、分割数に応じたプロ選手のスポーツ動作の静止画像を記憶しておき、Ｓ１９において、スポーツ動作チェック装置２の制御部２１１は、スポーツ動作から抽出した静止画像に、動画像の記憶位置の情報を合成する際に、プロ選手のスポーツ動作の静止画像も付加してもよい。そして、スポーツ動作チェック装置２の制御部２１１は、このプロ選手のスポーツ動作の静止画像を付加した静止画像をスポーツ動作写真３として印刷する（Ｓ２０）。この場合にも、スポーツ動作写真を図１１のようにすることができる。
【００８７】
また、例えば、スポーツ動作チェック装置２の制御部２１１は、動画像上で、スポーツ動作の特徴的な点を認識して、その軌跡も、Ｓ１９において静止画像に合成することができる。例えば、スポーツ動作がゴルフのスイングの場合には、ゴルフクラブのヘッド位置等を認識して、ヘッド位置の移動の軌跡を示す曲線を、静止画像に合成してもよい。
【００８８】
［第１実施形態の効果］
第1実施形態のスポーツ動作チェックシステム１によって、スポーツ動作チェック装置２の利用者８に、スポーツの動作を動画像に撮影して、撮影した動画像から抽出した静止画像を用いたスポーツ動作写真３を提供できる。
また、スポーツ動作チェック装置２の利用者８は、スポーツの動作を行っている連続写真を印刷したスポーツ動作写真３を取得することができる。
また、スポーツ動作写真３に、動画像の記憶位置の情報を電子透かしとして埋め込むことによって、スポーツ動作写真３の意匠性を損なうことなく印刷することができる。
また、スポーツ動作チェックシステム１によって、提供したスポーツ動作写真３を介在させて、利用者８に、携帯端末５で、スポーツの動作を撮影した動画像を閲覧させることができる。
【００８９】
［第２実施形態］
次に、本発明の第２実施形態について説明する。
第２実施形態は、スポーツ動作チェックシステム１におけるスポーツ動作チェック装置２ａ（２）とサーバ４との間での利用形態である。
【００９０】
［スポーツ動作チェック装置２ａの外観斜視図］
図１２は、スポーツ動作チェック２ａの外観斜視図である。なお、図１２の外観構成は一例であり、用途、目的に応じて様々な構成をとることが可能である。
スポーツ動作チェック装置２ａは、筐体に、表示部２２、操作部２３、カメラ２４、写真排出部２５、及び、写真挿入部２７を少なくとも備えている。
【００９１】
スポーツ動作チェック装置２ａの表示部２２、操作部２３、カメラ２４、及び、写真排出部２５の構成は、第１実施形態のスポーツ動作チェック装置２の構成と同一であるので、その説明を省略する。
【００９２】
写真挿入部２７は、以前に利用者８が取得したスポーツ動作写真３を挿入する部分である。写真挿入部２７は、内部に図示しないカメラ等の写真読取部２８（後述）を備えており、スポーツ動作写真３の情報を読み取ることができる。
なお、写真挿入部２７、及び、その内部の写真読取部２８は、スポーツ動作チェック装置２ａの筐体の外部に、外付けとして備えてもよい。
【００９３】
［スポーツ動作チェック装置２ａのハードウェア構成］
図１３は、スポーツ動作チェック装置２ａのハードウェア構成を示すブロック図である。なお、図１３のハードウェア構成は一例であり、用途、目的に応じて様々な構成をとることが可能である。
【００９４】
スポーツ動作チェック装置２ａを実現するコンピュータ２１は、制御部２１１、記憶部２１２、通信制御部２１３、入力部２１４、メディア入出力部２１５、周辺機器Ｉ／Ｆ部２１６等がバス２１７で接続されて構成され、表示部２２、操作部２３、カメラ２４、写真印刷部２６、写真読取部２８を制御する。
【００９５】
スポーツ動作チェック装置２ａのコンピュータ２１、表示部２２、操作部２３、カメラ２４、及び、写真印刷部２６の構成は、第１実施形態のスポーツ動作チェック装置２の構成と同一であるので、その説明を省略する。
【００９６】
写真読取部２８は、前述した写真挿入部２７の内部に設けられ、スポーツ動作写真３に印刷されている情報を読み取るデジタルカメラである。デジタルカメラとしては、撮影した静止画像を電気的信号に変換できるものであればよく、ＣＭＯＳやＣＣＤ等の撮影素子を備えたカメラを用いればよい。
【００９７】
［スポーツ動作チェック装置２ａとサーバ４との処理］
続いて、スポーツ動作チェック装置２ａとサーバ４との処理を説明する。
図６を用いて説明した、スポーツ動作チェック装置２ａが、利用者８のスポーツ動作を動画像に撮影して、撮影した動画像をサーバ４に記憶する処理、及び、動画像から静止画像を抽出するとともに、サーバ４における動画像の記憶位置の情報を、静止画像に合成し、スポーツ動作写真３として印刷する処理は、スポーツ動作チェック装置２と、同一である。
【００９８】
次に、図１４を用いて、利用者８が、スポーツ動作チェック装置２ａにおいて、サーバ４に記憶されているスポーツ動作の動画像を取得して、再生する処理を説明する。
この処理は、利用者８がスポーツ動作チェック装置２ａ（２）においてスポーツ動作写真３を取得した後、利用者８がスポーツ動作チェック装置２ａを利用して任意の時点で行われる処理である。
【００９９】
最初に、スポーツ動作チェック装置２ａの制御部２１１は、写真読取部２８によって、利用者８が写真挿入部２７に挿入したスポーツ動作写真３から、合成されている動画像の記憶位置の情報を読み取る（Ｓ３１）。具体的には、スポーツ動作チェック装置２ａの制御部２１１は、写真読取部２８によって、スポーツ動作写真３に埋め込まれている電子透かし、又は、合成されているＱＲコード（登録商標）若しくはバーコードを読み取り、これらの画像情報を解釈するアプリケーションによって、動画像の記憶位置の情報に変換する。
【０１００】
次に、スポーツ動作チェック装置２ａの制御部２１１は、動画像の記憶位置の情報を、ネットワーク７を介して、サーバ４に送信する（Ｓ３２）。
【０１０１】
すると、サーバ４の制御部４１は、スポーツ動作チェック装置２ａから送信された動画像の記憶位置の情報を受信する（Ｓ３３）。
【０１０２】
次に、サーバ４の制御部４１は、記憶部４２から、受信した記憶位置に記憶されている動画像を読み出す（Ｓ３４）。
【０１０３】
次に、サーバ４の制御部４１は、読み出した動画像を、ネットワーク７を介して、スポーツ動作チェック装置２ａに送信する（Ｓ３５）。
【０１０４】
すると、スポーツ動作チェック装置２ａの制御部２１１は、サーバ４から送信された動画像を受信する（Ｓ３６）。
【０１０５】
次に、スポーツ動作チェック装置２ａの制御部２１１は、受信した動画像を再生して、表示部２２に表示する（Ｓ３７）。このとき、スポーツ動作チェック装置２ａの制御部２１１は、利用者８の操作部２３からの指示によって、再生を開始してもよい。
【０１０６】
以上で、スポーツ動作チェック装置２ａとサーバ４との処理は、終了である。
第２実施形態のスポーツ動作チェック装置２ａとサーバ４との処理は、前述のものに限られず、その趣旨を逸脱しない範囲で変更可能である。
【０１０７】
例えば、第１実施形態の変更可能な例で前述した、スポーツ動作写真３に、過去のスポーツ動作の静止画像を付加したり、プロ選手のスポーツ動作の静止画像を付加したり、静止画像にスポーツ動作の特徴的な点の軌跡を付加することも可能である。
【０１０８】
また、当然、第１実施形態のように、携帯端末５も含めたシステムとして、スポーツ動作チェック装置２ａから印刷されたスポーツ動作写真３を用いて、携帯端末５において、サーバ４の動画像を再生することも可能である。
【０１０９】
［第２実施形態の効果］
第２実施形態のスポーツ動作チェック装置２ａによって、利用者８に、スポーツの動作を動画像に撮影して、撮影した動画像から抽出した静止画像を用いたスポーツ動作写真３を提供できる。
また、スポーツ動作チェック装置２ａの利用者８は、スポーツの動作を行っている連続写真を印刷したスポーツ動作写真３を取得することができる。
また、スポーツ動作写真３に、動画像の記憶位置の情報を電子透かしとして埋め込むことによって、スポーツ動作写真３の意匠性を損なうことなく印刷することができる。
また、スポーツ動作チェック装置２ａによって、提供したスポーツ動作写真３を介在させて、次回来た時などに、利用者８に、以前撮影したスポーツ動作の動画像を閲覧させることができる。
【０１１０】
以上、添付図面を参照しながら、本発明に係るスポーツ動作チェックシステム１並びにスポーツ動作チェック装置２（２ａ）、サーバ４及び携帯端末５の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１１１】
１          スポーツ動作チェックシステム
２、２ａ    スポーツ動作チェック装置
２２        表示部
２３        操作部
２４        カメラ
２５        写真排出部
２７        写真挿入部
３          スポーツ動作写真
４          サーバ
５          携帯端末
５６        カメラ
６          アクセスポイント
７          ネットワーク
８          利用者
９          ゴルフクラブ
【図１】
2014030653.tif 000003
【図２】
2014030653.tif 000004
【図３】
2014030653.tif 000005
【図４】
2014030653.tif 000006
【図５】
2014030653.tif 000007
【図６】
2014030653.tif 000008
【図７】
2014030653.tif 000009
【図８】
2014030653.tif 000010
【図９】
2014030653.tif 000011
【図１０】
2014030653.tif 000012
【図１１】
2014030653.tif 000013
【図１２】
2014030653.tif 000014
【図１３】
2014030653.tif 000015
【図１４】
2014030653.tif 000016